(57)【要約】【課題】原稿の搬送等を行う前の時点で、原稿の搬送経路におけるジャムの発生を防止しつつ、ユーザにとって使い勝手のよい画像読取装置及び画像形成装置を提供する。【解決手段】多機能機１は、自動原稿搬送装置３０を有する。自動原稿搬送装置３０は、原稿搬送機構部６０により、原稿トレイ４０にセットされた原稿を、読取位置Ｒを経由して、排出原稿収納部５０へ搬送する。読取位置Ｒを通過する際に、多機能機１は、スキャナ部１５により原稿の画像を読み取る。原稿トレイ４０は、下流側端部において、トレイ回動軸４１により回動自在に軸支され、上流側端部は上下に移動可能である。制御部２０は、原稿トレイ４０の上流側端部に形成された遮光部４３と、トレイセンサ４２により、原稿トレイ４０上に所定量以上の原稿がセットされていることを検出し、原稿読取禁止処理（Ｓ６）を実行する。【選択図】図４
2010275051.tif 000002
【特許請求の範囲】
【請求項１】
原稿の画像を読み取る読取手段と、
複数枚の原稿が載置される原稿トレイと、
前記読取手段により画像が読み取られる読取位置に対して、前記原稿トレイに載置された原稿を搬送する搬送手段と、
前記搬送手段により前記読取位置を経由して搬送された原稿を、積層して収納する原稿収納部と、を備える画像読取装置であって、
前記原稿トレイは、
当該原稿トレイに原稿が載置された場合に、載置された原稿の量に応じて下方に移動可能に配設され、
前記原稿トレイの位置に基づいて、当該原稿トレイに所定量以上の原稿が載置されていることを検出する検出手段と、
前記検出手段の検出結果に応じて、前記搬送手段による前記原稿トレイから前記読取位置へと向かう原稿の搬送を禁止する搬送禁止手段と、
を備えることを特徴とする画像読取装置。
【請求項２】
前記請求項１記載の画像読取装置において、
前記原稿トレイは、
前記搬送手段による原稿の搬送方向下流側に位置する回動軸により、当該原稿トレイの搬送方向下流側の一端部において回動自在に軸支され、
当該原稿トレイの他端部は、
前記回動軸を軸とする回動に伴い、当該原稿トレイに載置された原稿の量に応じて下方に移動可能であることを特徴とする画像読取装置。
【請求項３】
前記請求項１又は請求項２記載の画像読取装置において、
前記原稿トレイから前記読取位置への経路上に配設され、前記原稿トレイに載置された原稿を一枚ずつに分離する分離手段と、を備え、
前記原稿トレイは、
前記分離手段に隣接する位置に形成された回動軸により、当該原稿トレイの一端部を回動自在に軸支されていることを特徴とする画像読取装置。
【請求項４】
前記請求項１乃至請求項３の何れかに記載の画像読取装置において、
前記原稿トレイの底面を支持すると共に、当該原稿トレイの下方から上方へ向かう付勢力を当該原稿トレイに加える付勢手段と、を備え、
前記原稿トレイは、
当該原稿トレイに原稿が載置された場合に、前記付勢手段による付勢力に抗して下方に移動することを特徴とする画像読取装置。
【請求項５】
前記請求項４記載の画像読取装置において、
前記付勢手段は、
前記原稿トレイにおける前記原稿の搬送方向に直交する幅寸法の中央を通る中心軸を対称軸として、線対称となる位置において、前記原稿トレイを支持しつつ、当該原稿トレイに付勢力を加えることを特徴とする画像読取装置。
【請求項６】
前記請求項２乃至請求項５の何れかに記載の画像読取装置において、
前記原稿トレイは、
当該原稿トレイに原稿が載置されていない場合、
回動に伴い移動する原稿トレイの他端部が、前記回動軸により軸支されている原稿トレイの一端部よりも上方に位置することを特徴とする画像読取装置。
【請求項７】
前記請求項２乃至請求項６の何れかに記載の画像読取装置において、
前記原稿トレイに所定量以上の原稿が載置された場合に、当該原稿トレイの他端部の位置を、前記回動軸により軸支されている原稿トレイの一端部よりも上方の位置に規制する規制手段を備えることを特徴とする画像読取装置。
【請求項８】
前記請求項２乃至請求項７の何れかに記載の画像読取装置において、
前記検出手段は、
載置された原稿の量に応じて、前記回動軸を軸に下方に移動する原稿トレイの他端部の位置に基づいて、当該原稿トレイに所定量以上の原稿が載置されていることを検出することを特徴とする画像読取装置。
【請求項９】
前記請求項８記載の画像読取装置において、
前記検出手段は、
所定の方向へ光を照射する発光手段と、
前記発光手段から照射された光を受光する受光手段と、を有し、
前記原稿トレイは、
所定量以上の原稿が載置された場合に、前記発光手段から前記受光手段へと向かう光を遮断する遮断部を、前記原稿トレイの他端側に有し、
前記検出手段は、
前記遮断部により、発光手段から受光手段へ向かう光が遮断されたことに基づいて、前記原稿トレイに所定量以上の原稿が載置されていることを検出することを特徴とする画像読取装置。
【請求項１０】
前記請求項９記載の画像読取装置において、
前記検出手段は、
前記遮断部材により前記発光手段から受光手段へ向かう光が遮断され、且つ、所定期間を経過した後も、発光手段から受光手段へ向かう光が遮断されている場合に、前記原稿トレイに所定量以上の原稿が載置されていることを検出し、
前記搬送禁止手段は、
前記検出手段により、前記原稿トレイに所定量以上の原稿が載置されていることが検出された場合に、前記搬送手段による前記原稿トレイから前記読取位置へと向かう原稿の搬送を禁止することを特徴とする画像読取装置。
【請求項１１】
原稿の画像を読み取る読取手段と、
複数枚の原稿が載置される原稿トレイと、
前記読取手段により画像が読み取られる読取位置に対して、前記原稿トレイに載置された原稿を搬送する搬送手段と、
前記搬送手段により前記読取位置を経由して搬送された原稿を、積層して収納する原稿収納部と、を有する画像読取装置と、
前記画像読取装置により読み取られた画像を被記録媒体に形成する画像形成手段と、を備える画像形成装置であって、
前記原稿トレイは、
当該原稿トレイに原稿が載置された場合に、載置された原稿の量に応じて下方に移動可能に配設され、
前記原稿トレイの位置に基づいて、当該原稿トレイに所定量以上の原稿が載置されていることを検出する検出手段と、
前記検出手段の検出結果に応じて、前記搬送手段による前記原稿トレイから前記読取位置へと向かう原稿の搬送を禁止する搬送禁止手段と、
を備えることを特徴とする画像形成装置。
【発明の詳細な説明】
【技術分野】
【０００１】
本発明は、原稿を搬送しつつ画像の読取を行う画像読取装置及び画像形成装置に関する。
【背景技術】
【０００２】
従来、画像読取装置及び画像形成装置の分野において、自動原稿搬送装置を備える画像読取装置及び画像形成装置が知られている。当該自動原稿搬送装置は、ＡＤＦ（Ａｕｔｏ  Ｄｏｃｕｍｅｎｔ  Ｆｅｅｄｅｒ）とも呼ばれる。
【０００３】
自動原稿搬送装置は、複数枚の原稿がセットされた原稿トレイから、原稿を一枚ずつ搬送し、当該自動原稿搬送装置の排紙トレイに順次積層する。そして、原稿の画像は、各原稿が順次搬送される際に読み取られる。従って、ユーザは、複数枚の原稿の連続的な読取を簡単な操作で行うことができる。
【０００４】
ここで、排紙トレイに排出された原稿が大量になった場合、既に排出された原稿が、新たな原稿の排出を妨げる場合がある。この場合、自動原稿搬送装置は、原稿の搬送経路におけるジャム（紙詰まり）等の不具合を生じさせてしまう。
【０００５】
当該不具合の防止する技術として、特許文献１に記載された発明が知られている。特許文献１記載のシート処理装置は、排紙トレイに排出された印刷済みの用紙に基づいて発生するジャムを防止する。具体的には、当該シート処理装置は、排紙トレイに収容された印刷済みの用紙の枚数が制限値となった場合に、原稿の搬送及び排紙トレイへの排出を停止する。これにより、当該シート処理装置は、搬送経路におけるジャム等の不具合を防止し得る。
【先行技術文献】
【特許文献】
【０００６】
【特許文献１】特開平７−３１９３３０号公報
【発明の概要】
【発明が解決しようとする課題】
【０００７】
ここで、特許文献１記載の思想は、自動原稿搬送装置による画像の読取を行う画像読取装置及び画像形成装置に適用し得る。この場合、当該画像読取装置等は、排紙トレイに排出された画像読取後の原稿の枚数が制限値を超えた場合に、原稿の搬送及び画像の読取を停止する。
【０００８】
この場合、画像読取装置等は、原稿の読取が開始され、排紙トレイへの原稿排出の後でなければ、原稿の搬送及び画像の読取を停止できない。つまり、ユーザは、原稿の読取等が停止されることを事前に把握することはできない。そのため、例えば、原稿から読み取られた画像データをファクシミリ送信するような場合であって、原稿枚数の超過に基づく原稿及び画像の読取停止が、原稿の読取中に発生する可能性がある。この場合、ユーザは、既に読取済の原稿の画像データだけが相手先に送信されているのか、或いは、送信されずにメモリに記憶されたままになっているのか分からず、読取が停止した場合の対応に混乱するという問題がある。そして、送信したつもりの画像データが実際には送信できていないという不具合を生じる可能性もある。
又、読み取った原稿の画像データが送信されていないことがわかった場合には、メモリに残っている未送信の画像データを削除する作業が発生したり、再度、所望の内容を一度に送信するために、原稿枚数の調整作業等を行う必要が生じる。
【０００９】
本明細書は、原稿の搬送等を行う前の時点で、原稿枚数の超過による原稿の搬送経路におけるジャムの発生を防止することができ、且つ、ユーザにとって使い勝手の良い画像読取装置及び画像形成装置を提供する。
【課題を解決するための手段】
【００１０】
本発明の請求項１に係る画像読取装置は、原稿の画像を読み取る読取手段と、複数枚の原稿が載置される原稿トレイと、前記読取手段により画像が読み取られる読取位置に対して、前記原稿トレイに載置された原稿を搬送する搬送手段と、前記搬送手段により前記読取位置を経由して搬送された原稿を、積層して収納する原稿収納部と、を備える画像読取装置であって、前記原稿トレイは、当該原稿トレイに原稿が載置された場合に、載置された原稿の量に応じて下方に移動可能に配設され、前記原稿トレイの位置に基づいて、当該原稿トレイに所定量以上の原稿が載置されていることを検出する検出手段と、前記検出手段の検出結果に応じて、前記搬送手段による前記原稿トレイから前記読取位置へと向かう原稿の搬送を禁止する搬送禁止手段と、を備えることを特徴とする。
【００１１】
当該画像読取装置は、読取手段と、原稿トレイと、搬送手段と、原稿収納部と、検出手段と、禁止手段と、を備える。原稿トレイは、載置された原稿の量に応じて、下方に移動可能に配設されている。原稿トレイに所定量以上の原稿が載置されたことを検出手段により検出すると、当該画像読取装置は、搬送禁止手段により、原稿トレイからの原稿の搬送を禁止する。原稿の搬送が禁止されることで、読取手段による画像の読取も禁じられる。つまり、当該画像読取装置は、原稿の搬送及び画像の読取を行う前に、大量の原稿が原稿収納部に収納されることに起因するジャムの発生を防止しうる。そして、当該画像読取装置によれば、ユーザは、原稿枚数の調整作業等を事前に行うことができる。この結果、当該画像読取装置は、ユーザの作業負担を軽減し得る。
【００１２】
そして、請求項２記載の画像読取装置は、前記請求項１記載の画像読取装置において、前記原稿トレイは、前記搬送手段による原稿の搬送方向下流側に位置する回動軸により、当該原稿トレイの搬送方向下流側の一端部において回動自在に軸支され、当該原稿トレイの他端部は、前記回動軸を軸とする回動に伴い、当該原稿トレイに載置された原稿の量に応じて下方に移動可能であることを特徴とする。
【００１３】
当該画像読取装置において、原稿トレイは、搬送方向下流側の一端部で回動自在に軸支されている。つまり、原稿トレイの一端部が搬送方向下流側の所定位置に限定されるので、当該画像読取装置は、原稿トレイからの原稿の搬送を円滑に行い得る。そして、この場合であっても、画像読取装置は、原稿トレイの他端部の位置に基づいて、原稿の搬送及び画像の読取を行う前に、大量の原稿が原稿収納部に収納されることに起因するジャムの発生を防止し、ユーザの作業負担を軽減し得る。
【００１４】
又、請求項３記載の画像読取装置は、前記請求項１又は請求項２記載の画像読取装置において、前記原稿トレイから前記読取位置への経路上に配設され、前記原稿トレイに載置された原稿を一枚ずつに分離する分離手段と、を備え、前記原稿トレイは、前記分離手段に隣接する位置に形成された回動軸により、当該原稿トレイの一端部を回動自在に軸支されていることを特徴とする。
【００１５】
当該画像読取装置において、原稿トレイは、搬送方向下流側に位置する分離手段に隣接する位置に形成された回動軸により、その一端部で回動自在に軸支されている。つまり、原稿トレイの一端部が分離手段に隣接する所定位置に限定されるので、当該画像読取装置は、原稿トレイから原稿を一枚ずつ円滑に搬送し得る。そして、この場合であっても、画像読取装置は、原稿トレイの他端部の位置に基づいて、原稿の搬送及び画像の読取を行う前に、大量の原稿が原稿収納部に収納されることに起因するジャムの発生を防止し、ユーザの作業負担を軽減し得る。
【００１６】
そして、請求項４記載の画像読取装置は、前記請求項１乃至請求項３の何れかに記載の画像読取装置において、前記原稿トレイの底面を支持すると共に、当該原稿トレイの下方から上方へ向かう付勢力を当該原稿トレイに加える付勢手段と、を備え、前記原稿トレイは、当該原稿トレイに原稿が載置された場合に、前記付勢手段による付勢力に抗して下方に移動することを特徴とする。
【００１７】
当該画像読取装置において、原稿トレイは、当該原稿トレイに原稿が載置された場合に、付勢手段の付勢力に抗して下方に移動する。これにより、原稿トレイに載置された原稿の重量は、下方に移動した原稿トレイの位置に確実に反映される。従って、前記検出手段は、「原稿トレイに所定量以上の原稿が載置されたこと」を、高い精度で検出し得る。これにより、当該画像読取装置は、大量の原稿が原稿収納部に収納されることに起因するジャムの発生を、より高い精度で防止しうる。
【００１８】
又、請求項５記載の画像読取装置は、前記請求項４記載の画像読取装置において、前記付勢手段は、前記原稿トレイにおける前記原稿の搬送方向に直交する幅寸法の中央を通る中心軸を対称軸として、線対称となる位置において、前記原稿トレイを支持しつつ、当該原稿トレイに付勢力を加えることを特徴とする。
【００１９】
当該画像読取装置において、付勢手段は、原稿トレイの中心軸を対称軸として、線対称となる位置で、原稿トレイを支持しつつ付勢力を下方から加える。従って、原稿トレイは、搬送方向に直交する方向に傾斜することなく、水平を維持した状態で下降し得る。この結果、検出手段による検出精度を高めることができるので、当該画像読取装置は、大量の原稿が原稿収納部に収納されることに起因するジャムの発生を、より高い精度で防止しうる。
【００２０】
そして、請求項６記載の画像読取装置は、前記請求項２乃至請求項５の何れかに記載の画像読取装置において、前記原稿トレイは、当該原稿トレイに原稿が載置されていない場合、回動に伴い移動する原稿トレイの他端部が、前記回動軸により軸支されている原稿トレイの一端部よりも上方に位置することを特徴とする。
【００２１】
当該画像読取装置によれば、原稿トレイの他端部が一端部よりも上方に位置するので、当該原稿トレイは、搬送方向上流側から下流側に向かって傾斜することとなる。従って、当該原稿トレイに載置された原稿は、当該原稿の自重により、搬送方向に従って容易に移動し得る。これにより、当該画像読取装置は、原稿トレイに所定量未満の原稿が載置されている場合に、原稿の搬送及び画像の読取を円滑に行い得る。
【００２２】
又、請求項７記載の画像読取装置は、前記請求項２乃至請求項６の何れかに記載の画像読取装置において、前記原稿トレイに所定量以上の原稿が載置された場合に、当該原稿トレイの他端部の位置を、前記回動軸により軸支されている原稿トレイの一端部よりも上方の位置に規制する規制手段を備えることを特徴とする。
【００２３】
当該画像読取装置は、規制手段により、原稿トレイが最も下方に回動した場合であっても、当該原稿トレイを、搬送方向上流側から下流側に向かって傾斜させた状態にし得る。従って、当該画像読取装置は、所定量よりもやや少ない量の原稿が原稿トレイに載置された場合であっても、原稿の搬送及び画像の読取を円滑に行い得る。
【００２４】
そして、請求項８記載の画像読取装置は、前記請求項２乃至請求項７の何れかに記載の画像読取装置において、前記検出手段は、載置された原稿の量に応じて、前記回動軸を軸に下方に移動する原稿トレイの他端部の位置に基づいて、当該原稿トレイに所定量以上の原稿が載置されていることを検出することを特徴とする。
【００２５】
当該画像読取装置は、回動軸を軸として回動する原稿トレイの他端部の位置に基づいて、原稿トレイに所定量以上の原稿が載置されていることを検出する。当該原稿トレイの他端部は、回動軸により軸支されている一端部と、逆側に位置する端部である。従って、原稿トレイの他端部は、載置されている原稿の量に応じて、最も大きく移動する。当該画像読取装置は、最も変位の大きな位置を対象とすることで、より高い精度で、原稿トレイに所定量以上の原稿が載置されていることを検出し得る。この結果、当該画像読取装置は、大量の原稿が原稿収納部に収納されることに起因するジャムの発生を、より高い精度で防止しうる
【００２６】
そして、請求項９記載の画像読取装置は、前記請求項８記載の画像読取装置において、前記検出手段は、所定の方向へ光を照射する発光手段と、前記発光手段から照射された光を受光する受光手段と、を有し、前記原稿トレイは、所定量以上の原稿が載置された場合に、前記発光手段から前記受光手段へと向かう光を遮断する遮断部を、前記原稿トレイの他端側に有し、前記検出手段は、前記遮断部により、発光手段から受光手段へ向かう光が遮断されたことに基づいて、前記原稿トレイに所定量以上の原稿が載置されていることを検出することを特徴とする。
【００２７】
当該画像読取装置によれば、検出手段は、発光手段と、受光手段と、を有し、当該原稿トレイの他端部に形成された遮断部によって、発光手段から受光手段へと向かう光が遮断されたことに基づいて、原稿トレイに所定量以上の原稿が載置されていることを検出する。従って、当該画像読取装置は、簡単な方式で、原稿トレイに所定量以上の原稿が載置されていることを検出し得る。又、遮断部を原稿トレイの他端部に形成することにより、当該画像読取装置は、部品点数を削減し得る。
【００２８】
又、請求項１０記載の画像読取装置は、前記請求項９記載の画像読取装置において、前記検出手段は、前記遮断部材により前記発光手段から受光手段へ向かう光が遮断され、且つ、所定期間を経過した後も、発光手段から受光手段へ向かう光が遮断されている場合に、前記原稿トレイに所定量以上の原稿が載置されていることを検出し、前記搬送禁止手段は、前記検出手段により、前記原稿トレイに所定量以上の原稿が載置されていることが検出された場合に、前記搬送手段による前記原稿トレイから前記読取位置へと向かう原稿の搬送を禁止することを特徴とする。
【００２９】
当該画像読取装置において、原稿トレイの他端部は、原稿トレイに原稿が載置されている場合にのみ、下方に移動するものではない。例えば、ユーザが原稿トレイの他端部に意図せずにふれた場合であっても、原稿トレイの他端部は、一時的に下方に移動し得る。上述のように判断することにより、当該画像読取装置は、実際に、所定量以上の原稿が原稿トレイに載置されている状態のみを検出し、ジャムの発生を高い精度で防止し得る。
【００３０】
そして、請求項１１記載の画像形成装置は、原稿の画像を読み取る読取手段と、複数枚の原稿が載置される原稿トレイと、前記読取手段により画像が読み取られる読取位置に対して、前記原稿トレイに載置された原稿を搬送する搬送手段と、前記搬送手段により前記読取位置を経由して搬送された原稿を、積層して収納する原稿収納部と、を有する画像読取装置と、前記画像読取装置により読み取られた画像を被記録媒体に形成する画像形成手段と、を備える画像形成装置であって、前記原稿トレイは、当該原稿トレイに原稿が載置された場合に、載置された原稿の量に応じて下方に移動可能に配設され、前記原稿トレイの位置に基づいて、当該原稿トレイに所定量以上の原稿が載置されていることを検出する検出手段と、前記検出手段の検出結果に応じて、前記搬送手段による前記原稿トレイから前記読取位置へと向かう原稿の搬送を禁止する搬送禁止手段と、を備えることを特徴とする。
【００３１】
当該画像形成装置は、読取手段と、原稿トレイと、搬送手段と、原稿収納部と、を有する画像読取装置と、画像形成手段と、検出手段と、禁止手段と、を備える。原稿トレイは、載置された原稿の量に応じて、下方に移動可能に配設されている。原稿トレイに所定量以上の原稿が載置されたことを検出手段により検出すると、当該画像形成装置は、原稿トレイからの原稿の搬送及び画像の読取を禁じる。つまり、当該画像形成装置は、原稿の搬送及び画像の読取を行う前に、大量の原稿が原稿収納部に収納されることに起因するジャムの発生を防止しうる。そして、当該画像形成装置によれば、ユーザは、原稿枚数の調整作業等を事前に行うことができる。この結果、当該画像形成装置は、ユーザの作業負担を軽減し得る。
【図面の簡単な説明】
【００３２】
【図１】本発明の一実施形態に係る多機能機の外観斜視図である。
【図２】第１実施形態に係る多機能機における自動原稿搬送装置の外観斜視図である。
【図３】第１実施形態に係る自動原稿搬送装置の上面図である。
【図４】図３におけるＸ−Ｘ断面を示す断面図である。
【図５】図３におけるＹ−Ｙ断面を示す断面図である。
【図６】多機能機における制御系を示すブロック図である。
【図７】多機能機に係る制御プログラムのフローチャートである。
【図８】第２実施形態に係る自動原稿搬送装置の上面図である。
【図９】図８におけるＸ−Ｘ断面を示す断面図である。
【発明を実施するための形態】
【００３３】
以下、本発明に係る画像読取装置及び画像形成装置を、多機能機１に具体化した一実施形態について、図面を参照しつつ詳細に説明する。
【００３４】
（第１実施形態）
先ず、第１実施形態に係る多機能機１の概略構成について、図面を参照しつつ詳細に説明する。図１は、多機能機１の外観斜視図である。
【００３５】
図１に示すように、多機能機１は、多機能機本体１０と、自動原稿搬送装置３０とにより構成されている。多機能機本体１０は、本体上部前面に、操作パネル１１を備えている。操作パネル１１は、スタートキー等の種々の操作キーを有しており、読取開始操作等の種々の操作に用いられる。操作パネル１１は、液晶ディスプレイ１２を有している。当該液晶ディスプレイ１２は、種々の情報を表示する。
【００３６】
又、多機能機本体１０は、スキャナ部１５、プリンタ部１６、ファクシミリ部１７、制御部２０等を内蔵している。図４に示すように、スキャナ部１５は、多機能機本体１０上部に配設され、多機能機本体１０の上面を構成するプラテンガラス１５Ａと、画像読取ユニットとを有している。当該スキャナ部１５は、プラテンガラス１５Ａ上に位置する原稿等の画像を、コンタクトイメージセンサ（ＣＩＳ）等の公知の読取センサで構成される画像読取ユニットにより読み取る。
【００３７】
プリンタ部１６は、所謂、レーザプリンタにより構成され、画像データを用紙に印刷する。スキャナ部１５により読み取られた画像データは、プリンタ部により、用紙上に印刷され得る。又、ファクシミリ部１７は、ネットワーク通信網で接続された他の装置とファクシミリ通信を行う。従って、スキャナ部１５により読み取られた画像データは、ファクシミリ部１７により、ユーザ所望の他の装置に対して、ファクシミリ送信され得る。
【００３８】
自動原稿搬送装置３０は、多機能機本体１０の上部に配設されている。そして、自動原稿搬送装置３０は、多機能機本体１０の上面背面側に配設された蝶番を支点として開閉自在に取り付けられている。当該自動原稿搬送装置３０は、プラテンガラス１５Ａ上に原稿をセットした場合において、原稿をプラテンガラス１５Ａ側に押圧する原稿押さえとして機能する。
【００３９】
そして、自動原稿搬送装置３０は、原稿トレイ４０と、排出原稿収納部５０と、原稿搬送機構部６０を有している。自動原稿搬送装置３０は、原稿トレイ４０にセットされた原稿を、原稿搬送機構部６０によって、排出原稿収納部５０へ搬送する。後述するように、原稿トレイ４０にセットされた原稿は、原稿搬送機構部６０によって搬送される際に、スキャナ部１５による画像の読取が行われる読取位置Ｒを経由する。従って、多機能機１は、原稿トレイ４０にセットされた複数枚の原稿から、順次、画像を読み取ることができる。
【００４０】
次に、第１実施形態に係る多機能機１を構成する自動原稿搬送装置３０の構成について、図面を参照しつつ詳細に説明する。
【００４１】
上述したように、自動原稿搬送装置３０は、本体フレーム３１、カバー３２、原稿トレイ４０、排出原稿収納部５０、及び原稿搬送機構部６０を有している。本体フレーム３１は、自動原稿搬送装置３０の骨組みである。カバー３２、原稿トレイ４０、排出原稿収納部５０、及び原稿搬送機構部６０は、当該本体フレーム３１上に配設されている。
【００４２】
カバー３２は、本体フレーム３１に対して開閉可能に取り付けられており、原稿搬送機構部６０を覆う。又、カバー３２は、当該カバー３２を閉じた場合に、排出原稿収納部５０の外郭を構成する（図４等参照）。
【００４３】
原稿トレイ４０は、搬送及び画像読取の対象となる原稿がセットされる略長方形状のトレイである。当該原稿トレイ４０は、操作パネル１１に正対した場合における右手方向（以下、右手方向という）に配設されている。そして、原稿トレイ４０は、複数枚（後述する所定量以上であってもよい）の原稿をセットし得るように構成されている。当該原稿トレイ４０の構成等については、後に詳細に説明する。
【００４４】
排出原稿収納部５０は、搬送及び画像読取を完了した原稿が堆積・収納される部分である。図４に示すように、当該排出原稿収納部５０は、原稿トレイ４０、及び原稿搬送機構部６０の上方に位置する。
【００４５】
原稿搬送機構部６０は、原稿トレイ４０にセットされた原稿を一枚ずつ、読取位置Ｒ（図４参照）を経由して、排出原稿収納部５０へ搬送する。当該原稿搬送機構部６０は、搬送経路６１を有している。
【００４６】
尚、本明細書においては、原稿が原稿トレイ４０から排出原稿収納部５０へ搬送される際の進行方向を「搬送方向」という。そして、搬送方向上流側を「上流側」といい、搬送方向下流側を「下流側」という。
【００４７】
搬送経路６１は、原稿トレイ４０にセットされた原稿が排出原稿収納部５０へ搬送される際に通過する経路である。図４に示すように、当該搬送経路６１は、原稿トレイ４０の搬送方向下流側に位置する一端部から読取位置Ｒへ向かって略水平方向（図４中、左方向）に延びており、読取位置Ｒを経た後、弧を描きつつ排出原稿収納部５０へと接続されている。
【００４８】
当該搬送経路６１は、吸入経路６２、読取搬送経路６３、湾曲経路６４、及び原稿排出口６５により構成されている。吸入経路６２は、原稿トレイ４０の載置面から下流側に向かって略水平に伸びている。
【００４９】
読取搬送経路６３は、吸入経路６２の下流側端部から下方に向かって傾斜し、読取位置Ｒへ向かって延びている。図４に示すように、読取搬送経路６３の読取位置Ｒに対応する部分は下方へ開口されている。従って、読取位置Ｒを搬送される際に、原稿は、プラテンガラス１５Ａ及び画像読取ユニット上方を通過する。従って、スキャナ部１５は、原稿が読取位置Ｒを通過する際に、当該原稿から画像を読み取ることができる。
【００５０】
湾曲経路６４は、読取搬送経路６３の下流側端部と、排出原稿収納部５０の上流側とを接続している。当該湾曲経路６４は、読取搬送経路６３の下流側端部から上方へ向かって弧を描くように形成されている。当該湾曲経路６４を通過する際に、原稿の搬送方向は、略１８０度転換される。そして、原稿排出口６５は、当該湾曲経路６４の下流側端部と排出原稿収納部５０の接続部である。湾曲経路６４を搬送された原稿は、当該原稿排出口６５から排出原稿収納部５０へ排出される。
【００５１】
又、原稿搬送機構部６０は、原稿搬送モータ７０（図６参照）、吸入ローラ７１、吸入パッド７２、分離ローラ７３、分離パッド７４、第１搬送ローラ７５、原稿ガイド７６、第２搬送ローラ７７、及び原稿排出ローラ７８を有している。原稿搬送モータ７０は、原稿トレイ４０から排出原稿収納部５０への原稿の搬送に関する駆動源である。具体的には、原稿搬送モータ７０は、吸入ローラ７１、分離ローラ７３、第１搬送ローラ７５、第２搬送ローラ７７、及び原稿排出ローラ７８を回転駆動させる。
【００５２】
吸入ローラ７１は、原稿トレイ４０の下流側端部近傍に回転自在に配設されている。そして、吸入ローラ７１は、原稿トレイ４０の下流側端部において、搬送方向に直交する原稿（原稿トレイ４０）の幅方向（以下、「幅方向」という）中央部に位置し、原稿トレイ４０にセットされた原稿の下面に当接している。これにより、多機能機１は、吸入ローラ７１を回転駆動することで、原稿トレイ４０にセットされた原稿を、吸入経路６２へ搬送し得る。
【００５３】
吸入パッド７２は、吸入ローラ７１の上方において、当該吸入ローラ７１と対向するように配設されている。当該吸入パッド７２は、上下方向に揺動可能に配設されており、吸入ローラ７１に向かって付勢されている。従って、吸入パッド７２は、原稿を吸入ローラ７１表面に押し付けることができ、当該原稿を確実に吸入経路６２へ搬送する機能を果たす。
【００５４】
分離ローラ７３は、原稿を一枚ずつに分離して搬送するためのローラである。当該分離ローラ７３は、吸入経路６２の下流側端部に回転自在に配設されている。そして、分離ローラ７３は、吸入経路６２の下部に配置されており、上部が吸入経路６２内部に露出している。
【００５５】
そして、分離パッド７４は、分離ローラ７３の上方において、当該分離ローラ７３と対向するように配設されている。当該分離パッド７４は、上下方向に揺動可能に配設されており、分離ローラ７３に向かって付勢されている。従って、分離パッド７４は、原稿を分離ローラ７３に押し付けることができ、確実に、原稿を一枚ずつに分離して搬送する機能を果たす。
【００５６】
第１搬送ローラ７５は、読取搬送経路６３に搬送された原稿を、読取位置Ｒへ向かって搬送する。当該第１搬送ローラ７５は、読取搬送経路６３上部に回転自在に配設されている。そして、第１搬送ローラ７５の下部は、読取搬送経路６３内に露出しており、読取搬送経路６３を搬送される原稿表面と当接する。従って、当該第１搬送ローラ７５は、原稿搬送モータ７０の駆動に従って回転駆動することで、読取搬送経路６３内の原稿を読取位置Ｒへ搬送し得る。
【００５７】
そして、原稿ガイド７６は、読取搬送経路６３の上面を構成し、読取搬送経路６３を搬送された原稿を読取位置Ｒへ案内する。又、原稿ガイド７６は、読取位置Ｒにおいては、読取位置Ｒに位置する原稿に対する原稿押さえとして機能する。従って、多機能機１は、読取位置Ｒに搬送された原稿から、確実に画像を読み取ることができる。
【００５８】
第２搬送ローラ７７は、読取位置Ｒを通過した原稿を、湾曲経路６４及び原稿排出口６５へ向かって搬送する。当該第２搬送ローラ７７は、湾曲経路６４の上流側端部に回転自在に配設されている。第２搬送ローラ７７の下部は、湾曲経路６４内に露出しており、読取位置Ｒを通過した原稿表面と当接する。従って、当該第２搬送ローラ７７は、原稿搬送モータ７０の駆動に従って回転駆動することで、読取位置Ｒを通過した原稿を、湾曲経路６４及び原稿排出口６５へ搬送し得る。
【００５９】
そして、原稿排出ローラ７８は、原稿排出口６５近傍に回転自在に配設されている。当該原稿排出ローラ７８は、原稿搬送モータ７０の駆動に従って回転駆動することで、原稿排出口６５から排出された原稿を、排出原稿収納部５０へ排出する。
【００６０】
ここで、画像読取時における原稿の動きについて説明する。画像の読取に関する動作が開始されると、原稿トレイ４０にセットされた原稿は、吸入ローラ７１、吸入パッド７２により、分離ローラ７３等に向かって吸入経路６２を搬送される。そして、当該原稿は、分離ローラ７３、分離パッド７４により、一枚ずつに分離されて、読取搬送経路６３へ搬送される。読取搬送経路６３内では、原稿は、第１搬送ローラ７５により読取位置Ｒへ搬送される。この時、スキャナ部１５は、読取位置Ｒを通過する原稿から画像を読み取る。読取位置Ｒを通過した後、原稿は、第２搬送ローラ７７によって、湾曲経路６４、原稿排出口６５を搬送される。その後、原稿排出口６５へ到達すると、当該原稿は、原稿排出ローラ７８によって、排出原稿収納部５０へ排出される。当該原稿は、排出原稿収納部５０内部に積層状態で収納される。
【００６１】
次に、自動原稿搬送装置３０における原稿トレイ４０の構成について、図２〜図５を参照しつつ詳細に説明する。図４に示すように、第１実施形態に係る多機能機１において、原稿トレイ４０は、トレイ回動軸４１を軸として、一定の範囲で回動自在に取り付けられている。具体的には、原稿トレイ４０は、吸入ローラ７１、吸入パッド７２、分離ローラ７３近傍に位置するトレイ回動軸４１によって、原稿トレイ４０の下流側端部を軸支されている。従って、原稿トレイ４０がトレイ回動軸４１を軸に回動した場合であっても、当該原稿トレイ４０の下流側端部の位置は、大きく変動することはない。
【００６２】
そして、当該原稿トレイ４０は、当該原稿トレイ４０の上流側端部において、付勢ばね４４により支持されている。図３、図５に示すように、当該付勢ばね４４は、原稿トレイ４０の幅方向中央を通る中心軸Ｃに対して線対称となる位置で、原稿トレイ４０を支持している。従って、原稿トレイ４０は、水平状態を維持した状態で、上流側端部を上下に回動し得る。
【００６３】
又、原稿トレイ４０の上流側端部は、付勢ばね４４により、当該原稿トレイ４０の下方から上方へ向かう付勢力を受けている。従って、当該原稿トレイ４０上に何ら原稿がセットされていない場合、原稿トレイ４０の上流側端部は、付勢ばね４４の付勢力により、上流側トレイ高Ｈに位置する（図４、図５参照）。上流側トレイ高Ｈは、原稿がセットされていない場合におけるプラテンガラス１５Ａ表面から原稿トレイ４０の上流側端部の上面までの高さを意味する。
【００６４】
そして、原稿がセットされていない場合、上流側トレイ高Ｈに位置する原稿トレイ４０の上流側端部は、プラテンガラス１５Ａ表面を基準として、トレイ回動軸４１及び原稿トレイ４０の下流側端部よりも上方に位置する。この場合、原稿トレイ４０が上流側端部から下流側端部に向かって傾斜するため、原稿トレイ４０上の原稿は、原稿の自重により、搬送方向に従って容易に移動し得る。
【００６５】
そして、原稿トレイ４０上に原稿がセットされた場合、原稿トレイ４０の上流側端部は、付勢ばね４４の付勢力に抗して下方に移動する。この時、原稿トレイ４０の上流側端部は、原稿トレイ４０にセットされた原稿の量（即ち、セットされた原稿の重量）と、付勢ばね４４の付勢力が均衡する位置で静止する。即ち、原稿トレイ４０の上流側端部の位置は、原稿トレイ４０にセットされた原稿の量に応じた位置となる。
【００６６】
又、当該原稿トレイ４０の上流側端部の下方には、トレイセンサ４２が配設されている。図５に示すように、当該トレイセンサ４２は、原稿トレイ４０の幅方向中央部に対応する位置に配設されている。そして、トレイセンサ４２は、所謂、フォトセンサであり、発光部４２Ａと、受光部４２Ｂを有している。即ち、発光部４２Ａは、受光部４２Ｂに対して、光を照射する。受光部４２Ｂは、発光部４２Ａから照射された光を受け、当該光の受光の有無により検出信号を出力する。
【００６７】
図３に示すように、原稿トレイ４０の上流側端部において、原稿トレイ４０の幅方向中央部には、遮光部４３が、原稿トレイ４０と一体に形成されている。遮光部４３は、鉛直方向に延びる平板状に形成されている。原稿トレイ４０がトレイ回動軸４１を軸に回動していくと、遮光部４３は、発光部４２Ａと受光部４２Ｂの間に進入する（図４、図５参照）。具体的には、原稿トレイ４０に所定枚数（例えば、３０枚）以上の原稿がセットされた場合に、遮光部４３は、原稿トレイ４０の回動に伴い、発光部４２Ａから受光部４２Ｂへ照射される光を遮断する。
【００６８】
この結果、トレイセンサ４２は、原稿トレイ４０の上流側端部の位置に応じて、異なる出力信号を出力し得る。即ち、当該多機能機１は、原稿トレイ４０に所定枚数（例えば、３０枚）以上の原稿がセットされた状態を検知し、当該状況に応じた制御を行い得る。
【００６９】
そして、図４に示すように、原稿トレイ４０は、付勢ばね４４の配設位置近傍に、第１回動規制部４５を有している。第１回動規制部４５は、原稿トレイ４０の下方に向かって所定寸法延出しており、当該原稿トレイ４０と一体に形成されている。又、自動原稿搬送装置３０は、第１回動規制部４５の下方に、第２回動規制部４６を有している。所定枚数（例えば、３０枚）以上の原稿が原稿トレイ４０にセットされた場合、第１回動規制部４５の下端は、第２回動規制部４６の上端面に当接する。即ち、原稿トレイ４０の回動量は、第１回動規制部４５、第２回動規制部４６により、所定範囲に制限される。
【００７０】
図４、図５に破線で示すように、原稿トレイ４０に所定枚数（例えば、３０枚）以上の原稿がセットされた場合、原稿トレイ４０の上流側端部は、第１回動規制部４５、第２回動規制部４６により、上流側トレイ高ｈに位置する。上流側トレイ高ｈは、原稿トレイ４０に所定量以上の原稿がセットされている場合におけるプラテンガラス１５Ａ表面から原稿トレイ４０の上流側端部の上面までの高さを意味する。
【００７１】
そして、所定量以上の原稿がセットされている場合、上流側トレイ高ｈに位置する原稿トレイ４０の上流側端部は、プラテンガラス１５Ａ表面を基準として、トレイ回動軸４１及び原稿トレイ４０の下流側端部よりも上方に位置する。この場合においても、原稿トレイ４０が上流側端部から下流側端部に向かって傾斜する。従って、所定量未満の原稿がセットされている場合であれば、原稿トレイ４０上の原稿は、原稿の自重により、搬送方向に従って容易に移動し得る。
【００７２】
尚、所定量以上の原稿が原稿トレイ４０にセットされている場合、原稿トレイ４０上の原稿は、後述する制御プログラムによって、原稿搬送機構部６０等へ搬送されることはない。制御プログラムの構成については、後に詳細に説明する。
【００７３】
続いて、多機能機１の制御系について、図面を参照しつつ詳細に説明する。図６に示すように、多機能機１は、制御部２０を有している。制御部２０は、ＣＰＵ２１、ＲＯＭ２２、及びＲＡＭ２３を有する。ＣＰＵ２１は、多機能機１の制御の中枢を担う中央演算処理装置である。具体的には、ＣＰＵ２１は、スキャナ部１５による画像の読取に係る制御、プリンタ部１６による印刷に関する制御、及びファクシミリ部１７によるファクシミリ通信に関する制御等を行う。
【００７４】
ＲＯＭ２２は、多機能機１の制御上で必要なデータテーブル、制御プログラムを格納する記憶装置である。当該ＲＯＭ２２は、後述する制御プログラム（図７参照）を格納している。そして、ＲＡＭ２３は、ＣＰＵ２１による演算結果等の種々の情報を一時的に格納する記憶装置である。
【００７５】
上述したように、多機能機１は、操作パネル１１、液晶ディスプレイ１２、スキャナ部１５、プリンタ部１６、ファクシミリ部１７、トレイセンサ４２、原稿搬送モータ７０を有している。操作パネル１１は、制御部２０と接続されている。従って、制御部２０は、操作パネル１１に対する種々の操作に従った制御を行い得る。
【００７６】
液晶ディスプレイ１２は、制御部２０に接続されている。従って、液晶ディスプレイ１２は、制御部２０の制御に従って、種々の内容を表示し得る。例えば、液晶ディスプレイ１２は、制御部２０の制御に従い、原稿トレイ４０にセットされた原稿の量に関する種々のメッセージを表示し得る。
【００７７】
スキャナ部１５は、制御部２０に接続されている。従って、スキャナ部１５は、制御部２０の制御に従って、原稿から画像を読み取ることができる。同様に、プリンタ部１６、ファクシミリ部１７も、制御部２０に接続されている。従って、プリンタ部１６は、制御部２０の制御に従い、所望の内容を用紙に印刷することができる。又、ファクシミリ部１７は、制御部２０の制御に従って、他の装置との間におけるファクシミリ通信を行い得る。
【００７８】
そして、制御部２０は、トレイセンサ４２と接続されている。トレイセンサ４２は、発光部４２Ａから受光部４２Ｂへの光が遮光部４３により遮断された場合に、ＯＮ信号を出力する。従って、制御部２０は、トレイセンサ４２からの出力信号により、原稿トレイ４０の状態（図４等参照）を判断することができ、もって、原稿トレイ４０にセットされた原稿の量を判断し得る。
【００７９】
更に、制御部２０は、原稿搬送モータ７０と接続されている。従って、制御部２０は、原稿搬送モータ７０の駆動態様を制御することができ、もって、吸入ローラ７１等の駆動態様を制御し得る。具体的には、制御部２０は、後述する制御プログラムに従った制御を行うことにより、セットされた原稿の量に応じた原稿の搬送及び画像の読取に関する制御を行い得る。
【００８０】
次に、多機能機１における制御プログラムについて、図面を参照しつつ詳細に説明する。図７は、当該多機能機１における原稿の搬送及び画像の読取に関する制御プログラムのフローチャートである。尚、当該制御プログラムは、多機能機１に電源が投入されている間、制御部２０によって繰り返し実行される。
【００８１】
先ず、Ｓ１において、制御部２０は、トレイセンサ４２からＯＮ信号を受信したか否かを判断する。トレイセンサ４２がＯＮである場合（Ｓ１：ＹＥＳ）、制御部２０は、Ｓ２に処理を移行する。一方、トレイセンサ４２がＯＮでない場合（Ｓ１：ＮＯ）、制御部２０は、Ｓ４に処理を移行する。
【００８２】
Ｓ２においては、制御部２０は、待機期間（例えば、３秒間）を経過したか否かを判断する。当該待機期間は、原稿トレイ４０の上下動が安定するまでの待機期間を意味する。待機期間を経過した場合（Ｓ２：ＹＥＳ）、制御部２０は、Ｓ３に処理を移行する。一方、未だ待機期間を経過していない場合（Ｓ２：ＮＯ）、制御部２０は、待機期間を経過するまで処理を待機する。
【００８３】
Ｓ３では、制御部２０は、再び、トレイセンサ４２からＯＮ信号を受信したか否かを判断する。トレイセンサ４２がＯＮである場合（Ｓ３：ＹＥＳ）、制御部２０は、Ｓ５に処理を移行する。一方、トレイセンサ４２がＯＮでない場合（Ｓ３：ＮＯ）、制御部２０は、Ｓ４に処理を移行する。
【００８４】
Ｓ４に移行すると、制御部２０は、操作パネル１１からの操作信号に基づいて、読取開始操作が行われたか否かを判断する。読取開始操作は、操作パネル１１に含まれるスタートキーの入力により行われる。読取開始操作が行われた場合（Ｓ４：ＹＥＳ）、制御部２０は、Ｓ６に処理を移行する。読取開始操作が行われていない場合（Ｓ４：ＮＯ）、制御部２０は、そのまま当該制御プログラムを終了する。
【００８５】
Ｓ５では、制御部２０は、原稿読取禁止処理を実行する。原稿読取禁止処理（Ｓ５）では、制御部２０は、読取開始操作を無効とする制御を行う。即ち、制御部２０は、読取開始操作が行われた場合であっても、原稿搬送モータ７０の駆動を開始することはない。つまり、この場合においては、多機能機１は、原稿トレイ４０にセットされた原稿を搬送することなく、当該原稿から画像を読み取ることはない。又、当該原稿読取禁止処理（Ｓ５）において、制御部２０は、「原稿トレイ４０に所定量以上の原稿がセットされている旨」を、液晶ディスプレイ１２に表示する。これにより、ユーザは、液晶ディスプレイ１２の表示に基づいて、画像の読取実行前に、原稿枚数の調整等種々の作業を行い得る。原稿読取禁止処理を終了すると、制御部２０は、当該制御プログラムを終了する。
【００８６】
Ｓ６においては、制御部２０は、原稿読取処理を実行する。原稿読取処理（Ｓ６）では、制御部２０は、原稿搬送モータ７０を駆動することにより、原稿トレイ４０にセットされた原稿を、一枚ずつ、読取位置Ｒを経由して、排出原稿収納部５０へ搬送する。又、制御部２０は、スキャナ部１５を制御することにより、読取位置Ｒを通過する原稿から、画像の読取を行う。原稿読取処理（Ｓ６）を終了すると、制御部２０は、当該制御プログラムを終了する。
【００８７】
そして、原稿読取処理（Ｓ６）を実行した後、制御部２０は、読み取った画像データを用いた種々の処理を行い得る。多機能機１がコピーモードである場合、制御部２０は、読み取った画像データをプリンタ部１６により用紙に印刷する。又、多機能機１がファクシミリモードである場合、制御部２０は、入力された相手先番号等により相手先を特定し、ファクシミリ部１７を介して、当該画像データについてのファクシミリ送信を実行する。
【００８８】
以上、説明したように、第１実施形態に係る多機能機１において、自動原稿搬送装置３０を構成する原稿トレイ４０は、下流側端部において、トレイ回動軸４１により回動自在に軸支されている。そして、原稿トレイ４０の上流側端部は、原稿トレイ４０上にセットされた原稿の量に応じて、下方に移動する。更に、多機能機１は、トレイセンサ４２及び遮光部４３により、原稿トレイ４０に所定枚数以上の原稿がセットされていることを検出し、原稿読取禁止処理（Ｓ６）を実行し得る。
【００８９】
これにより、当該多機能機１は、原稿の搬送及び画像の読取を行う前に、「大量の原稿が排出原稿収納部５０に収納されることに起因するジャム」等の不具合の発生を防止し得る。又、当該多機能機１によれば、ユーザは、画像の読取前に、原稿枚数の調整作業等を行うことができるので、ユーザの作業負担を軽減し得る。例えば、原稿から読み取られた画像データをファクシミリ送信するような場合に、ユーザは、原稿を原稿トレイ４０にセットした時点で、読取開始前に、原稿枚数の超過による画像の読取停止が発生する可能性を確認することができる。従って、ユーザは、原稿の読取を開始する前に、原稿枚数の調整作業等を行うことができる。
【００９０】
又、原稿トレイ４０は、吸入ローラ７１、分離ローラ７３近傍に位置する下流側端部において、トレイ回動軸４１により回動自在に軸支されている。従って、原稿トレイ４０の下流側端部は、トレイ回動軸４１近傍の所定範囲内に位置する。この結果、多機能機１は、原稿トレイ４０を回動自在に軸支した場合であっても、原稿トレイ４０上の原稿を一枚ずつ円滑に搬送し得る。
【００９１】
そして、原稿トレイ４０は、上流側端部において、付勢ばね４４により支持されている。原稿トレイ４０の上流側端部は、セットされた原稿トレイ４０の量と、付勢ばね４４の付勢力が均衡する位置に位置する。これにより、原稿トレイ４０の上流側端部は、原稿トレイ４０に所定枚数以上の原稿がセットされた場合に、発光部４２Ａからの光を遮光部４３で遮る位置に位置する。
【００９２】
この結果、当該多機能機１は、トレイセンサ４２により、「原稿トレイ４０に所定枚数以上の原稿がセットされていること」を高い精度で検出することができ、原稿の搬送及び画像の読取を行う前に、「大量の原稿が排出原稿収納部５０に収納されることに起因するジャム」等の不具合の発生を、より高い精度で適切に防止し得る。
【００９３】
又、当該多機能機１は、発光部４２Ａ、受光部４２Ｂを有するトレイセンサ４２と、遮光部４３により、原稿トレイ４０上に所定量以上の原稿がセットされたことを検出する。これにより、当該多機能機１は、簡単な方式で、原稿トレイ４０に所定量以上の原稿が載置されていることを検出し得る。又、遮光部４３を原稿トレイ４０の上流側端部に一体に形成するので、当該多機能機１は、部品点数を削減し得る。
【００９４】
そして、原稿トレイ４０の上流側端部は、セットされた原稿の量に応じて、最も大きく移動する部分である。当該多機能機１は、最も変位の大きな位置を検出対象とすることで、より高い精度で、原稿トレイに所定量以上の原稿が載置されていることを検出し得る。この結果、当該多機能機１は、「大量の原稿が排出原稿収納部５０に収納されることに起因するジャムの発生」を、より高い精度で防止し得る。
【００９５】
又、付勢ばね４４は、原稿トレイ４０の上流側端部において、中心軸Ｃを対称軸として線対称となる位置で、原稿トレイ４０を支持しつつ付勢力を付与している。従って、原稿トレイ４０は、原稿トレイ４０の幅方向に傾斜することなく、幅方向に水平な状態を位置したまま、上流側端部を上下に移動させ得る。この結果、トレイセンサ４２による検出精度を高めることができるので、当該多機能機１は、原稿の搬送及び画像の読取を行う前に、「大量の原稿が排出原稿収納部５０に収納されることに起因するジャム」等の不具合の発生を、より高い精度で防止し得る
【００９６】
当該多機能機１において、原稿トレイ４０の上流側端部は、原稿トレイに原稿がセットされていない場合に、上流側トレイ高Ｈの位置に位置し、所定枚数以上の原稿がセットされている場合には、第１回動規制部４５、第２回動規制部４６により、上流側トレイ高ｈの位置に位置する。図４に示すように、上流側トレイ高Ｈ、上流側トレイ高ｈの何れに位置する場合であっても、原稿トレイ４０の上流側端部は、トレイ回動軸４１及び下流側端部よりも高い位置に位置する。即ち、原稿トレイ４０は、搬送方向上流側から下流側に向かって傾斜することとなる。従って、当該原稿トレイ４０に載置された原稿は、当該原稿の自重により、搬送方向に従って容易に移動し得る。これにより、当該多機能機１は、原稿トレイ４０に所定量未満の原稿が載置されている場合に、原稿の搬送及び画像の読取を円滑に行い得る。
【００９７】
そして、当該多機能機１は、トレイセンサ４２からＯＮ信号を受け、更に待機期間を経た後に、トレイセンサ４２からＯＮ信号を受けた場合（Ｓ２〜Ｓ４）に、原稿トレイ４０に所定枚数以上の原稿がセットされていることを検出し、原稿読取禁止処理（Ｓ５）を実行する。
【００９８】
ここで、原稿トレイ４０の上流側端部は、ユーザが不意に接触した場合等であっても下方に移動した後、付勢ばね４４の付勢力により所定の位置へ戻る。一方、原稿トレイ４０に所定枚数以上の原稿がセットされた場合、原稿トレイ４０の上流側端部は、下方に移動した状態のままとなる。従って、当該多機能機１は、Ｓ２〜Ｓ４の判断処理を行うことにより、実際に所定量以上の原稿が原稿トレイ４０に載置されている状態のみを検出し、ジャムの発生を高い精度で防止し得る。
【００９９】
（第２実施形態）
次に、上述した第１実施形態とは異なる実施形態（第２実施形態）について、図面を参照しつつ詳細に説明する。この第２実施形態においては、多機能機１の基本的構成及び制御プログラム（図７参照）の基本的な処理内容は同じであり、自動原稿搬送装置３０における原稿トレイ８０の構成が異なる。従って、第２実施形態においては、原稿トレイ８０の構成について、詳細に説明する。
【０１００】
第２実施形態に係る原稿トレイ８０は、略長方形状のトレイであり、原稿の搬送及び画像の読取の対象となる原稿をセットし得る。当該原稿トレイ８０は、自動原稿搬送装置３０に対して、水平状態を維持したまま、原稿トレイ８０全体が上下に移動可能に配設されている。第１実施形態と同様に、第２実施形態に係る原稿トレイ８０の下流側端部は、吸入ローラ７１、分離ローラ７３近傍に位置している。
【０１０１】
当該原稿トレイ８０の中央部下方には、重量センサ８１が載置されている。当該重量センサ８１は、所謂、圧力センサにより構成されており、原稿トレイ８０にセットされた原稿の重量を測定する。当該重量センサ８１は、制御部２０と接続されており、測定結果を示す出力信号を制御部２０に入力する。
【０１０２】
そして、原稿トレイ８０は、４つの付勢ばね８２により支持されている。具体的には、原稿トレイ８０の上流側端部において、付勢ばね８２は、原稿トレイ８０の中心軸Ｃを対称軸として線対称となる２箇所で、原稿トレイ８０を支持しつつ、付勢力を付与している。そして、原稿トレイ８０の下流側端部において、付勢ばね８２は、中心軸Ｃを対称軸として線対称となる２箇所で、原稿トレイ８０を支持しつつ、付勢力を付与している。
【０１０３】
各付勢ばね８２の近傍には、第１可動規制部８３、第２可動規制部８４が形成されている。第１可動規制部８３は、原稿トレイ８０から下方に向かって所定寸法延出しており、当該原稿トレイ８０と一体に形成されている。又、第２実施形態に係る自動原稿搬送装置３０は、各第１可動規制部８３の下方に、第２可動規制部８４を有している。所定枚数以上の原稿が原稿トレイ８０にセットされた場合、各第１可動規制部８３の下端は、それぞれ第２可動規制部８４の上端面に当接する。この時、原稿トレイ８０は、第１可動規制部８３、第２可動規制部８４により、原稿トレイ８０全体として水平な状態を維持する。これにより、第２実施形態に係る多機能機１は、原稿トレイ８０上の原稿の重量を正確に測定し得る。
【０１０４】
尚、第２実施形態に係る制御プログラムにおいて、制御部２０は、重量センサ８１の測定結果が所定重量（例えば、原稿３０枚分の重量）以上であるか否かにより、Ｓ２、Ｓ４の判断処理を実行する。当該制御プログラムにおけるその他の処理内容については、第１実施形態における処理内容と同様である。
【０１０５】
以上、説明したように、第２実施形態に係る多機能機１において、自動原稿搬送装置３０を構成する原稿トレイ８０は、原稿トレイ８０上にセットされた原稿の量に応じて、下方に移動する。更に、多機能機１は、重量センサ８１により、原稿トレイ４０に所定枚数以上の原稿がセットされていることを検出し、原稿読取禁止処理（Ｓ６）を実行し得る。
【０１０６】
これにより、当該多機能機１は、原稿の搬送及び画像の読取を行う前に、「大量の原稿が排出原稿収納部５０に収納されることに起因するジャム」等の不具合の発生を防止し得る。又、当該多機能機１によれば、ユーザは、画像の読取前に、原稿枚数の調整作業等を行うことができるので、ユーザの作業負担を軽減し得る。
【０１０７】
以上、実施形態に基づき本発明を説明したが、本発明は上述した実施形態に何ら限定されるものではなく、本発明の趣旨を逸脱しない範囲内で種々の改良変更が可能である。
例えば、上述した実施形態においては、本発明を多機能機１に具体化した実施形態に適用したが、この態様に限定されるものではない。即ち、本発明を、自動原稿搬送装置３０を備えるスキャナ装置に適用することも可能である。
【０１０８】
又、上述した実施形態では、原稿読取禁止処理（Ｓ６）において、読取開始操作の無効に伴う原稿の搬送禁止及び読取禁止と、液晶ディスプレイ１２の表示による警告と、を行っていたが、この態様に限定するものではない。即ち、当該警告は、液晶ディスプレイ１２への表示に限定されるものではなく、音声による警告でも良いし、ＬＥＤ等の発光による警告で行うことも可能である。又、当該警告を行わずに、原稿の搬送禁止及び読取禁止のみを行う態様であってもよい。
【符号の説明】
【０１０９】
１      多機能機
１２    液晶ディスプレイ
１５    スキャナ部
１６    プリンタ部
２０    制御部
３０    自動原稿搬送装置
４０    原稿トレイ
４１    トレイ回動軸
４２    トレイセンサ
４２Ａ  発光部
４２Ｂ  受光部
４３    遮光部
４４    付勢ばね
４５    第１回動規制部
４６    第２回動規制部
５０    排出原稿収納部
６０    原稿搬送機構部
７０    原稿搬送モータ
７１    吸入ローラ
７３    分離ローラ
７５    第１搬送ローラ
７７    第２搬送ローラ
７８    原稿排出ローラ
Ｃ      中心軸
Ｒ      読取位置
【図１】
2010275051.tif 000003
【図２】
2010275051.tif 000004
【図３】
2010275051.tif 000005
【図４】
2010275051.tif 000006
【図５】
2010275051.tif 000007
【図６】
2010275051.tif 000008
【図７】
2010275051.tif 000009
【図８】
2010275051.tif 000010
【図９】
2010275051.tif 000011